【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
操作手段と、
複数の表示を表示可能な表示手段と、
を備えた遊技台であって、
前記操作手段の操作を受付可能な複数の状態のうちの一の状態は、第一の状態であり、
前記操作手段の操作を受付可能な複数の状態のうちの一の状態は、第二の状態であり、
前記第一の状態と前記第二の状態は、別の状態であり、
複数の演出を実行可能であり、
前記複数の演出のうちの一の演出は、第一の演出であり、
前記複数の演出のうちの一の演出は、第二の演出であり、
前記複数の表示のうちの一の表示は、第一の表示であり、
前記第一の演出の態様と前記第二の演出の態様は、別の態様であり、
前記第一の状態において前記第一の表示を表示可能であり、
前記第一の演出は、或る予告であり、
前記第二の演出は、前記或る予告とは別の或る予告であり、
前記第一の表示の表示が開始された後、前記操作手段が複数回操作されると、前記第一の演出の実行が開始される場合があり、
前記第一の表示の表示が開始された後、前記操作手段が長押しで１回操作されたことのみで、前記第一の演出の実行が開始される場合があり、
前記第二の状態において前記操作手段が複数回操作されると、前記第二の演出の実行が開始される場合があり、
前記第二の状態において前記操作手段が長押しで１回操作されたことのみでは、前記第二の演出の実行が開始されることはなく、
前記第二の演出は裏ボタン演出である、
ことを特徴とする遊技台。
【請求項２】
請求項１に記載の遊技台であって、
前記第一の演出は、前記表示手段によって実行される演出である、
ことを特徴とする遊技台。
【請求項３】
請求項１又は２に記載の遊技台であって、
前記第二の演出は、前記表示手段によって実行される演出である、
ことを特徴とする遊技台。
【請求項４】
請求項１又は２に記載の遊技台であって、
第二の演出手段を備え、
前記第二の演出手段は、発光手段であり、
前記第二の演出は、前記第二の演出手段が第二の発光態様で発光することによって実行される演出である、
ことを特徴とする遊技台。
【請求項５】
請求項４に記載の遊技台であって、
前記第二の演出手段は、第一の発光態様で発光可能な手段であり、
前記第一の発光態様と前記第二の発光態様は、別の発光態様である、
ことを特徴とする遊技台。
【請求項６】
請求項１乃至５のうちいずれか一項に記載の遊技台であって、
前記裏ボタン演出とは、前記第一の表示が表示されない状態において、前記操作手段が複数回操作されたことに応じて開始される場合がある演出のことである、
ことを特徴とする遊技台。
【請求項７】
請求項１乃至６のうちいずれか一項に記載の遊技台であって、
図柄変動表示を表示可能な図柄表示手段を備え、
前記第一の演出は、前記図柄変動表示の表示中に開始される場合がある演出であり、
前記第二の演出は、前記図柄変動表示の表示中に開始される場合がある演出である、
ことを特徴とする遊技台。
【請求項８】
請求項１乃至７のうちいずれか一項に記載の遊技台であって、
前記操作手段が長押しで１回で操作されると、前記操作手段が複数回操作されたものとして前記第一の演出が開始される場合がある、
ことを特徴とする遊技台。
【請求項９】
請求項１乃至８のうちいずれか一項に記載の遊技台であって、
前記第一の状態は、前記第一の演出の実行を開始させるための操作を受け付ける状態である、
ことを特徴とする遊技台。
【請求項１０】
請求項１乃至９のうちいずれか一項に記載の遊技台であって、
前記第二の状態は、前記第二の演出の実行を開始させるための操作を受け付ける状態である、
ことを特徴とする遊技台。
【請求項１１】
請求項１乃至１０のうちいずれか一項に記載の遊技台であって、
前記長押しとは、前記操作手段が操作されている状態が予め定められた時間にわたって維持されていることである、
ことを特徴とする遊技台。
【請求項１２】
請求項１乃至１１のうちいずれか一項に記載の遊技台であって、
前記第一の表示は、連打の文字を含む表示である、
ことを特徴とする遊技台。
【請求項１３】
請求項１乃至１２のうちいずれか一項に記載の遊技台であって、
前記第一の表示の表示が開始された後、前記操作手段が長押しで操作された場合に、該操作手段が複数回操作されたものとして前記第一の演出の実行が開始される場合がある、
ことを特徴とする遊技台。
【請求項１４】
請求項１乃至１３のうちいずれか一項に記載の遊技台であって、
前記第一の状態となってから予め定められた時間が経過すると該第一の状態が終了する、
ことを特徴とする遊技台。
【請求項１５】
請求項１乃至１４のうちいずれか一項に記載の遊技台であって、
前記複数の表示のうちの一の表示は、第一の残時間表示であり、
前記第一の残時間表示は、前記第一の状態が終了するまでの残り時間の表示である、
ことを特徴とする遊技台。
【請求項１６】
請求項１乃至１５のうちいずれか一項に記載の遊技台であって、
前記第二の状態となってから予め定められた時間が経過すると該第二の状態が終了する、
ことを特徴とする遊技台。
【請求項１７】
請求項１乃至１６のうちいずれか一項に記載の遊技台であって、
前記遊技台は、ぱちんこ機である、
ことを特徴とする遊技台。
【請求項１８】
請求項１乃至１６のうちいずれか一項に記載の遊技台であって、
前記遊技台は、スロットマシンである、
ことを特徴とする遊技台。
【手続補正２】
【補正対象書類名】明細書
【補正対象項目名】０００７
【補正方法】変更
【補正の内容】
【０００７】
上記目的を解決する本発明の遊技台は、
操作手段と、
複数の表示を表示可能な表示手段と、
を備えた遊技台であって、
前記操作手段の操作を受付可能な複数の状態のうちの一の状態は、第一の状態であり、
前記操作手段の操作を受付可能な複数の状態のうちの一の状態は、第二の状態であり、
前記第一の状態と前記第二の状態は、別の状態であり、
複数の演出を実行可能であり、
前記複数の演出のうちの一の演出は、第一の演出であり、
前記複数の演出のうちの一の演出は、第二の演出であり、
前記複数の表示のうちの一の表示は、第一の表示であり、
前記第一の演出の態様と前記第二の演出の態様は、別の態様であり、
前記第一の状態において前記第一の表示を表示可能であり、
前記第一の演出は、或る予告であり、
前記第二の演出は、前記或る予告とは別の或る予告であり、
前記第一の表示の表示が開始された後、前記操作手段が複数回操作されると、前記第一の演出の実行が開始される場合があり、
前記第一の表示の表示が開始された後、前記操作手段が長押しで１回操作されたことのみで、前記第一の演出の実行が開始される場合があり、
前記第二の状態において前記操作手段が複数回操作されると、前記第二の演出の実行が開始される場合があり、
前記第二の状態において前記操作手段が長押しで１回操作されたことのみでは、前記第二の演出の実行が開始されることはなく、
前記第二の演出は裏ボタン演出である、
ことを特徴とする。
【手続補正３】
【補正対象書類名】明細書
【補正対象項目名】０８８６
【補正方法】変更
【補正の内容】
【０８８６】
また、『  前記遊技台は、スロットマシンである、
ことを特徴とする遊技台。』
についても説明した。
また、以上の記載では、
『  操作手段［例えば、演出ボタン１３６等］と、
複数の表示を表示可能な表示手段［例えば、装飾図柄表示装置２０８等］と、
を備えた遊技台であって、
前記操作手段の操作を受付可能な複数の状態のうちの一の状態は、第一の状態であり［換言すれば、前記第一の状態は、前記操作手段の操作を受け付ける状態であり、前記第一の状態において、前記操作手段が連打された場合に前記第一の表示の表示が開始される場合がある］、
前記操作手段の操作を受付可能な複数の状態のうちの一の状態は、第二の状態であり［換言すれば、前記第二の状態は、前記操作手段の操作を受け付ける状態であり、前記第二の状態において、前記操作手段が２以上の回数操作された場合に前記第二の表示の表示が開始される場合がある］、
前記第一の状態と前記第二の状態は、別の状態であり、
複数の演出を実行可能であり、
前記複数の演出のうちの一の演出は、第一の演出であり、
前記複数の演出のうちの一の演出は、第二の演出であり、
前記複数の表示のうちの一の表示は、第一の表示［例えば、図２２（ｄ）〜同図（ｇ）に示されるように、連打操作演出において、演出ボタン画像ＢＴとともに「連打しろ」という文字が画面の中央に表示される表示等］であり、
前記第一の演出の態様と前記第二の演出の態様は、別の態様であり、
前記第一の状態において前記第一の表示を表示可能であり［例えば、図２２（ｄ）に示される、演出ボタン画像ＢＴとともに「連打しろ」という文字が画面の中央に表示される表示は、演出ボタン１３６の操作受付状態となると表示開始される等］、
前記第一の演出は、或る予告［例えば、カットイン画像等の予告表示や、大当りとなることを予告する報知等］であり、
前記第二の演出は、前記或る予告とは別の或る予告［例えば、図４２（ｅ）〜同図（ｈ）に示される裏ボタン連打演出において、演出ランプＳＬ１〜ＳＬ４が緑色あるいは赤色に発光する演出や、装飾図柄表示装置２０８にエフェクト画像が表示される演出等］であり、
前記第一の表示の表示が開始された後、前記操作手段が複数回操作されると、前記第一の演出の実行が開始される場合があり［例えば、図２２に示されるように、演出ボタン１３６による複数回の操作（連打操作）が行われると連打メーターＲＤのゲージが満タンとなって予告表示が行われる場合がある等］、
前記第一の表示の表示が開始された後、前記操作手段が長押しで１回操作されたことのみで、前記第一の演出の実行が開始される場合があり［例えば、図２３に示すように、演出ボタン１３６による長押し操作がなされると、長押しオート連打機能により連打操作が疑似的に行われ、その結果、連打メーターＲＤのゲージが満タンとなった場合に演出に成功したとして、カットイン画像等の予告表示や、大当りとなることを予告する報知が行われる等］、
前記第二の状態において前記操作手段が複数回操作されると、前記第二の演出の実行が開始される場合があり［例えば、図４２（ｅ）〜同図（ｈ）に示される裏ボタン連打演出において、遊技者による演出ボタン１３６の連打操作がなされると、演出ランプＳＬ１〜ＳＬ４が緑色あるいは赤色に発光したり、装飾図柄表示装置２０８にエフェクト画像が表示される等］、
前記第二の状態において前記操作手段が長押しで１回操作されたことのみでは、前記第二の演出の実行が開始されることはなく［例えば、図４２に示される裏ボタン連打演出では、長押しオート連打機能が無効とされているので、演出ボタン１３６が長押し操作されたことでは、演出ランプＳＬ１〜ＳＬ４が緑色あるいは赤色に発光せず、また、装飾図柄表示装置２０８にエフェクト画像が表示されない等］、
前記第二の演出は裏ボタン演出である、
ことを特徴とする遊技台。』
について説明した。
また、『  前記第一の演出は、前記表示手段によって実行される演出である［例えば、図２２に示すように、演出ボタン１３６による連打操作がなされ、連打メーターＲＤのゲージが満タンとなった場合に演出に成功したとして実行される、カットイン画像等の予告表示や、大当りとなることを予告する報知は装飾図柄表示装置２０８で行われる等］、
ことを特徴とする遊技台。』
についても説明した。
また、『  前記第二の演出は、前記表示手段によって実行される演出である［例えば、図４２（ｅ）〜同図（ｈ）に示される裏ボタン連打演出において装飾図柄表示装置２０８に表示されるエフェクト画像等］、
ことを特徴とする遊技台。』
についても説明した。
また、『  第二の演出手段［例えば、演出ランプＳＬ１〜ＳＬ４等］を備え、
前記第二の演出手段は、発光手段であり、
前記第二の演出は、前記第二の演出手段が第二の発光態様で発光することによって実行される演出である［例えば、図４２（ｅ）〜同図（ｈ）に示される裏ボタン連打演出において、演出ランプＳＬ１〜ＳＬ４が緑色あるいは赤色に発光する等］、
ことを特徴とする遊技台。』
についても説明した。
また、『  前記第二の演出手段は、第一の発光態様［例えば、通常時における所定の発光態様（例えば、白色で点灯する態様）等］で発光可能な手段であり、
前記第一の発光態様と前記第二の発光態様は、別の発光態様である、
ことを特徴とする遊技台。』
についても説明した。
また、『  前記裏ボタン演出とは、前記第一の表示が表示されない状態［例えば、図４２（ｄ）〜同図（ｈ）に示される裏ボタン連打演出に係る操作受付期間である状態等］において、前記操作手段が複数回操作［例えば、連打操作等］されたことに応じて開始される場合がある演出のことである、
ことを特徴とする遊技台。』
についても説明した。
また、『  図柄変動表示を表示可能な図柄表示手段［例えば、第１特図表示装置２１２、第２特図表示装置２１４、装飾図柄表示装置２０８等］を備え、
前記第一の演出は、前記図柄変動表示の表示中に開始される場合がある演出であり［例えば、図２２や図２３に示される、連打メーターＲＤのゲージが満タンとなった場合に実行される演出は、図柄変動表示中に開始される等］、
前記第二の演出は、前記図柄変動表示の表示中に開始される場合がある演出である［例えば、図４２（ｅ）〜同図（ｈ）に示される裏ボタン連打演出における演出ランプＳＬ１〜ＳＬ４が緑色あるいは赤色に発光する演出、装飾図柄表示装置２０８にエフェクト画像が表示される演出は、図柄変動表示中に開始される等］、
ことを特徴とする遊技台。』
についても説明した。
また、『  前記操作手段が長押しで１回で操作されると［例えば、演出ボタン１３６が４秒操作された場合等］、前記操作手段が複数回操作されたものとして前記第一の演出が開始される場合がある［例えば、図２３に示すように、演出ボタン１３６が４秒操作された場合に、操作手段が疑似的に２０回操作されたものとして操作の結果に関する表示（カットイン画像等の予告表示や、大当りとなることを予告する報知等）が開始される等］、
ことを特徴とする遊技台。』
についても説明した。
また、『  前記第一の状態は、前記第一の演出の実行を開始させるための操作を受け付ける状態である［換言すれば、前記第一の状態は、前記操作手段の操作を受け付ける状態であり、前記第一の状態において、前記操作手段が連打された場合に前記第一の表示の表示が開始される場合がある］、
ことを特徴とする遊技台。』
についても説明した。
また、『  前記第二の状態は、前記第二の演出の実行を開始させるための操作を受け付ける状態である［換言すれば、前記第二の状態は、前記操作手段の操作を受け付ける状態であり、前記第二の状態において、前記操作手段が２以上の回数操作された場合に前記第二の表示の表示が開始される場合がある］、
ことを特徴とする遊技台。』
についても説明した。
また、『  前記長押しとは、前記操作手段が操作されている状態が予め定められた時間［例えば、４秒］にわたって維持されていることである、
ことを特徴とする遊技台。』
についても説明した。
また、『  前記第一の表示は、連打の文字［例えば、図２２（ｄ）〜同図（ｇ）や図２３（ｄ）〜同図（ｇ）に示される「連打しろ」の文字表示等］を含む表示である、
ことを特徴とする遊技台。』
についても説明した。
また、『  前記第一の表示の表示が開始された後、前記操作手段が長押しで操作された場合に、該操作手段が複数回操作されたものとして前記第一の演出の実行が開始される場合があるる［例えば、図２２（ｄ）あるいは図２３（ｄ）に示される、演出ボタン画像ＢＴとともに「連打しろ」という文字が画面の中央に表示される表示が開始されてから操作受付期間が経過するまでの間に（操作受付状態で）演出ボタン１３６による４秒間の長押し操作が行われた場合に、操作手段が疑似的に２０回操作されたものとして操作の結果に関する表示（カットイン画像等の予告表示や、大当りとなることを予告する報知等）が開始される場合がある等］、
ことを特徴とする遊技台。』
についても説明した。
また、『  前記第一の状態となってから予め定められた時間［例えば、５秒等］が経過すると該第一の状態が終了する、
ことを特徴とする遊技台。』
についても説明した。
また、『  前記複数の表示のうちの一の表示は、第一の残時間表示［例えば、図２２（ｄ）〜同図（ｇ）あるいは図２３（ｄ）〜同図（ｇ）に示される残時間メーターＭＴ等］であり、
前記第一の残時間表示は、前記第一の状態が終了するまでの残り時間の表示である、
ことを特徴とする遊技台。』
についても説明した。
また、『  前記第二の状態となってから予め定められた時間［例えば、図４２に示すスーパーリーチが行われている期間等］が経過すると該第二の状態が終了する、
ことを特徴とする遊技台。』
についても説明した。
また、『  前記遊技台は、ぱちんこ機［例えば、パチンコ機１００等］である、
ことを特徴とする遊技台。』
についても説明した。
また、『  前記遊技台は、スロットマシンである、
ことを特徴とする遊技台。』
についても説明した。